(57)【要約】【課題】自分が映し出された表示画面を確認しながら自分自身を撮影する際にライトの光が目に入りやすい、という問題を解決すること。【解決手段】撮影範囲の画像を取り込む画像撮影部３１２と、上記画像撮影部３１２による撮影範囲が映し出される表示部３１０と、上記画像撮影部３１２による撮影方向を照光する照光部３２１と、を筐体３０１に備え、上記表示部３１０が配置されている上記筐体３０１の端部側とは反対側に、上記表示部３１０から離間して上記照光部３２１を配置した。【選択図】図１１
2012083529.tif 000002
【特許請求の範囲】
【請求項１】
撮影範囲の画像を取り込む画像撮影部と、前記画像撮影部による撮影範囲が映し出される表示部と、前記画像撮影部による撮影方向を照光する照光部と、を筐体に備え、
前記表示部が配置されている前記筐体の端部側とは反対側に、前記表示部から離間して前記照光部を配置した、
電子機器。
【請求項２】
請求項１に記載の電子機器であって、
前記筐体の一端側に前記表示部が配置されていると共に、当該表示部よりも前記筐体の他端側に複数の操作キーを有する操作部が配置されており、前記筐体の他端付近に前記表示部から離間して前記操作部を挟んで前記照光部を配置した、
電子機器。
【請求項３】
請求項１又は２に記載の電子機器であって、
前記照光部の照光方向を表す光軸と、前記画像撮影部の撮影方向を表す光軸とが、前記筐体から所定の距離だけ離れた箇所で交差するよう、前記照光部が配置されている、
電子機器。
【請求項４】
請求項１乃至３のいずれかに記載の電子機器であって、
前記筐体は、前記表示部を備えた一方の筐体と、前記照光部を備えた他方の筐体と、が相互に回動可能に連結された折り畳み式筐体であり、
前記照光部を、前記他方の筐体の回動端付近に配置した、
電子機器。
【請求項５】
請求項４に記載の電子機器であって、
前記折り畳み式筐体が開いたときに、前記一方の筐体と前記他方の筐体とが所定の角度を有して屈曲した状態となる、
電子機器。
【請求項６】
請求項１乃至５のいずれかに記載の電子機器であって、
前記照光部が、前記筐体の一端及び他端を結ぶ直線に対して垂直方向である幅方向に離間して複数配置されている、
電子機器。
【請求項７】
請求項１乃至６のいずれかに記載の電子機器であって、
前記操作キーを前記筐体の内部側から照光する操作キー照光部を複数備えると共に、当該操作キー照光部の照光状態を制御する操作キー照光状態制御部を備え、
前記照光部の照光状態を、前記操作キー照光状態制御部にて制御する、
電子機器。
【請求項８】
請求項７に記載の電子機器であって、
前記照光部から照光される光よりも強い強度の光を照光する第二照光部と、当該第二照光部の照光動作を制御する第二照光状態制御部を備え、
前記操作キー照光状態制御部は、前記第二照光部からの光よりも弱い強度の光を前記照光部及び前記操作キー照光部から照光するよう制御する、
電子機器。
【請求項９】
請求項８に記載の電子機器であって、
前記筐体内に設けられた基板のうち前記操作部が配置されている側の面に、前記操作キーと前記操作キー照光部と前記操作キー照光状態制御部とを搭載し、
前記基板のうち前記操作部が配置されている側とは反対側の面に、前記第二照光部と前記第二照光状態制御部とを搭載した、
電子機器。
【発明の詳細な説明】
【技術分野】
【０００１】
本発明は、電子機器にかかり、特に、カメラと被写体を照らすライトを備えた電子機器に関する。
【背景技術】
【０００２】
近年、表示画面を有するデジタルカメラ自体や、デジタルカメラ機能が搭載された携帯電話機などの携帯型電子機器が普及している。そして、デジタルカメラ機能が搭載された携帯電話機の中には、図１（Ｂ）に示す携帯電話機のように、表示画面４１０とカメラ４１２とが同一方向を向いて配置され、ユーザＵが自分自身をカメラ４１２で撮影したプレビュー画像を表示画面４１０に表示させ、自分自身を撮影することが可能なものもある。そして、このような携帯電話機は、図１（Ａ）に示すように、カメラ４１２の近傍にライト４１３を同じ方向に向けて配置している。これは被写体までの距離が遠い場合や、カメラが回動可能に構成され撮影方向が自在に変わる装置では非常に有効な構成である。
【先行技術文献】
【特許文献】
【０００３】
【特許文献１】特開２００４−２１４７９８号公報
【発明の概要】
【発明が解決しようとする課題】
【０００４】
しかしながら、図１に示した携帯電話機では、自分が映し出された表示画面を確認しながら撮影するいわゆる「自分撮り」の場合には、表示画面の近傍にライトが配置されるため、当該ライトの光がユーザＵの目に直接入りやすい、という問題が生じる。すると、「自分撮り」を行う撮影者は、眩しさのため目をつぶってしまったり、細目になってしまい、自分の顔を綺麗に撮影することが困難であった。
【０００５】
また、カメラ４１２とライト４１３と表示画面４１０とが近傍に配置され、かつ、同じ方向を向いているため、被写体である撮影者のメガネやアクセサリーの金属部分、化粧のファンデーションなどに効率よく光が反射し、場合によっては露光オーバーな場所や、露光不足箇所とのムラが生じるなどの問題もあった。
【０００６】
一方で、上記問題を解決する技術として、特許文献１に、照明用ライトの発光量を小さくして発光させる制御を行う技術が開示されている。ところが、特許文献１に開示の技術であっても、表示画面の近傍にライトが配置されているため、当該ライトの光が被写体であるユーザの目に直接入りやすい、という問題は依然として解決していない。
【０００７】
そして、上述した問題は、デジタルカメラ機能が搭載された携帯電話機ばかりでなく、いわゆる「自分撮り」が可能なあらゆる電子機器において生じうる。
【０００８】
このため、本発明の目的は、上述した課題である、自分が映し出された表示画面を確認しながら自分自身を撮影する際にライトの光が目に入りやすい、という問題を解決することにある。
【課題を解決するための手段】
【０００９】
上記目的を達成すべく、本発明の一形態である電子機器は、
撮影範囲の画像を取り込む画像撮影部と、上記画像撮影部による撮影範囲が映し出される表示部と、上記画像撮影部による撮影方向を照光する照光部と、を筐体に備え、
上記表示部が配置されている上記筐体の端部側とは反対側に、上記表示部から離間して上記照光部を配置した、
という構成をとる。
【発明の効果】
【００１０】
本発明は、以上のように構成されることにより、自分が映し出された表示画面を確認しながら自分自身を撮影する際に、良好な撮影状況を実現することができる。
【図面の簡単な説明】
【００１１】
【図１】本発明に関連する携帯電話機の構成を示す図である。
【図２】本発明の第１の実施形態における携帯電話機の構成を示す図である。
【図３】本発明の第１の実施形態における携帯電話機の構成を示す図である。
【図４】本発明の第１の実施形態における携帯電話機に搭載されたライトの点灯制御の様子を示す図である。
【図５】本発明の第１の実施形態における携帯電話機の動作を示すフローチャートである。
【図６】本発明の第１の実施形態における携帯電話機の他の構成例を示す図である。
【図７】本発明の第１の実施形態における携帯電話機の他の構成例を示す図である。
【図８】本発明の第１の実施形態における携帯電話機に搭載されたライトの点灯制御の他の様子を示す図である。
【図９】本発明の第２の実施形態における携帯電話機の構成を示す図である。
【図１０】本発明の第２の実施形態における携帯電話機に搭載されたライトの照光状態を示す図である。
【図１１】本発明の付記１における電子機器の構成を示す図である。
【発明を実施するための形態】
【００１２】
＜実施形態１＞
本発明の第１の実施形態を、図２乃至図８を参照して説明する。図２乃至図３は、本実施形態における携帯電話機の構成を示す図であり、図４乃至図５は、携帯電話機の動作を示す図である。図６乃至図８は、携帯電話機の他の例を示す図である。
【００１３】
［構成］
本実施形態における携帯電話機は、図２（Ａ）及び図２（Ｂ）に示すように、一方の筐体１と他方の筐体２とが、ヒンジ３を介して相互に回動可能に連結された折り畳み式筐体を有している。
【００１４】
そして、一方の筐体１の折り畳まれたときに内側に位置する面には、液晶ディスプレイなどの表示部１０が備えられている。また、一方の筐体１の回動端付近、つまり、図２（Ａ）及び図２（Ｂ）で上端付近には、一方の筐体１の幅方向の中央にカメラ１２（画像撮影部）が装備されており、その左側には受話音が出力される受話部１１が装備されている。
【００１５】
ここで、表示部１０側に装備されているカメラ１２は、携帯電話機に組み込まれたアプリケーションを起動させて使用することで、比較的に距離が近い被写体を撮影するために適したカメラである。そして、カメラ１２が撮影範囲の画像が一定時間間隔にて取り込み、かかる画像を表示部１０に順次表示されることで、当該表示部１０に撮影範囲のプレビュー画像を表示することが可能であり、さらには、シャッターキーを押下することで、取り込んだ撮影範囲の画像を撮影して保存することもできる。かかる機能を装備することで、本実施形態における携帯電話機は、例えば、図２（Ｂ）に示すように、携帯電話機を把持したユーザＵが自分の顔にカメラ１２を向けて自分自身を撮影するいわゆる「自分撮り」が可能である。
【００１６】
また、他方の筐体２の折り畳まれたときに内側に位置する面には、方向操作、機能呼び出し、決定操作を行うキーや、文字や数字を入力するためのテンキーなど、複数の操作キーを有する操作部２０が設けられている。さらに、他方の筐体２の回動端付近、つまり、図２（Ａ）及び図２（Ｂ）で下端付近には、当該他方の筐体２の幅方向の中央に、ライト２１が装備されている。例えば、図２（Ｂ）の例では、ライト２１は操作部２０の最下列の中央に配置されている。そして、ライト２１は、上述した一方の筐体１に装備されたカメラ１２の搭載面側に設けられているため、当該カメラ１２による撮影方向を照光することが可能である。但し、上記ライト２１は、必ずしも他方の筐体２の回動端付近に装備されていることに限定されない。つまり、ライト２１は、表示部１０と離間する位置に配置されていればよい。
【００１７】
また、上記ライト２１は、ＬＥＤ（Light Emitting Diode）にて構成されており、いわゆる「自分撮り」の際に被写体となる自分自身の顔を照らすために十分な光量を得られるよう構成されている。なお、ライト２１は、LEDを用いているので直線的な光となりやすいことから、それを防ぐためLED直上に配置した図示しないレンズやシートの形状や色や塗装方法で、光が照明方向へ均等に散乱するよう構成することが好ましい。ここでは、他方の筐体２の操作部２０が配置された面から法線方向を中心に、均等に光が散乱するよう構成されている。
【００１８】
そして、上記ライト２１は、他方の筐体２の回動端付近に設けられていることで、上述した一方の筐体１に装備された表示部１０とは離間しており、操作部２０を挟んで配置されていることとなる。このとき、折り畳み式筐体が開いた状態で考えると、当該折り畳み式筐体の長手方向の一端側に表示部１０が配置されており、その反対側である他端付近にライト２１が配置されていると言える。
【００１９】
以上のように、表示部１０とライト２１との距離を離間して配置することで、いわゆる「自分撮り」時に表示部１０を見るユーザＵの目に、ライト２１から出力された光が入射されることを抑制でき、まぶしく感じることを抑制することができる。このとき、ライト２１を操作部２０の最下列に配置したことで、撮影操作時にユーザの指や手でライト２１が隠れることを抑制することができる。また、カメラ１２とライト２１との距離も大きく離間させた構成としたため、カメラ１２の周囲にライト２１からの光漏れの対策構造を設ける必要もない。
【００２０】
そして、本願実施形態における折り畳み式筐体１，２は、開いたときに一方の筐体１と他方の筐体２とが、所定の角度を持って屈曲して固定される。すると、他方の筐体２の回動端付近に設けたライト２１は、図２（Ｂ）の矢印Ｙ２に示すように、照射する光の方向が、ユーザＵの顔を下方向から照らす状態となる。つまり、図２（Ｂ）の矢印Ｙ１に示すカメラ１２の撮影方向を表す光軸と、ライト２１の照光方向を表す光軸とが、同一又は平行ではなく、筐体１，２から所定の距離だけ離れた箇所で交差する位置関係となる。これにより、表示部１０を見ているユーザＵの目に、ライト１２の光が直接目に入ることを抑制できると共に、適切にユーザＵの顔を照光することができる。
【００２１】
また、本実施形態における携帯電話機１は、さらに、図３（Ａ）に示すように、他方の筐体２の操作部２０配置側とは反対側の面に、メインカメラ２２と、このメインカメラ２２で撮影する際に被写体を照光するためのメインライト２３（第二照光部）と、を備えている。
【００２２】
上記メインカメラ２２は、図３（Ｂ）に示す折り畳み式筐体１，２の内側に配置されたカメラ１２よりも高性能であり、例えば、高解像度の画像を取り込み可能である。また、上記メインライト２３は、図３（Ｂ）に示す折り畳み式筐体１，２の内側に配置されたライト２１よりも強い強度の光を照光可能である。
【００２３】
ここで、図３（Ｃ）に、他方の筐体２の内部構造を示す。他方の筐体２内には、基板４が装備されており、この基板４の操作部２０が搭載されている側とは反対側の面、つまり、折り畳み式筐体の外側に位置する面に、上述したメインカメラ２２とメインライト２３とが搭載されている。これに伴い、基板４のメインライト２３が搭載されている面には、当該メインライト２３の照光動作を制御するメインライトドライバＩＣ４３（第二照光状態制御部）が搭載されている。このメインライトドライバＩＣ４３は、メインライト２３をＯＮにしたときに、瞬時に出力される光の光量が最大になるよう制御する。
【００２４】
また、基板４の操作部２０が搭載されている側の面、つまり、折り畳み式筐体の内側に位置する面には、上述したライト２１の他、操作部２０を構成する複数の操作キーを筐体２の内部側から照光する複数の操作キーライト４２（操作キー照光部）が搭載されている。この操作キーライト４２は、操作キーを筐体内部側から照光することで、各操作キーの周囲や各操作キーのキートップに形成された半透明部から外部に光が露出し、ユーザＵに対して視覚効果を与えるものである。
【００２５】
また、基板４の操作キーライト４２が搭載されている面には、当該操作キーライト４２の照光動作を制御する操作キーライトドライバＩＣ４１（操作キー照光状態制御部）が搭載されている。この操作キーライトドライバＩＣ４１は、操作キーライト４２をＯＮにしたときに、いきなり光量が最大となるように点灯するのではなく、図４に示すように、徐々に光量が増すような点灯を行うよう制御する。なお、このような点灯制御は、PWM制御による点灯であり、詳細な説明は省略する。
【００２６】
そして、上記操作キードライバＩＣ４１は、ライト２１にも接続されており、当該ライト２１の照光動作も制御する。このとき、ライト２１の照光制御は、上述した操作キーライト４２と同様に、いきなり光量が最大となるように点灯するのではなく、図４に示すように、徐々に光量が増すような点灯を行うよう制御する。従って、ユーザＵが自分撮りを行うときに照光されるライト２１から光は、まぶしさが軽減される。
【００２７】
［動作］
次に、上述した携帯電話機の動作を、図５のフローチャートを参照して説明する。まず、携帯電話機を用いてユーザＵが自分自身の顔を撮影するいわゆる「自分撮り」を行う際には、携帯電話機のメニューを表示して撮影機能を起動する（ステップＳ１）。このとき、カメラが複数搭載されている場合には、メニューから折り畳み式筐体の内側、つまり、表示部１０の上側にあるカメラ１２を指定する。
【００２８】
続いて、撮影機能が起動したら、被写体を照光するライト２１を点灯するか、しないかをユーザＵが操作し（ステップＳ２）、点灯操作が行われた場合には、ライト２１の光量が徐々に増すよう点灯する。これにより、撮影可能状態となる（ステップＳ３）。
【００２９】
そして、この撮影可能状態では、カメラ１２が撮影範囲の画像を一定の時間間隔で取り込み、表示部１０に順次プレビュー表示される。従って、ユーザＵは、被写体である自分自身の顔が表示部１０に表示された状態となり、手鏡のように自身の顔を見ることができる。
【００３０】
このとき、ライト２１からの光は、ユーザＵが見ている表示部１０とは離間した位置からユーザＵに向かって照光されることとなり、さらに、ユーザＵの顔を下方向から照らす状態となっている。従って、表示部１０を見ているユーザＵの目に、ライト２１の光が直接目に入ることを抑制できると共に、適切にユーザＵの顔を照光することができる。特に、ライト２１がユーザＵの顔の下側から光を照射するため、メガネやアクセサリーや化粧で反射した光が、直接カメラ１２へと入り難いので、露出のムラが抑えられる。また、ライト２１は、上述した操作キーライトドライバＩＣ４１により、いきなり光量が最大となるように点灯するのではなく、徐々に光量が増すような点灯を行うよう制御されるため、ユーザＵがまぶしく感じることを抑制できる。
【００３１】
なお、このとき、表示部１０を通常時よりも明るく制御し、当該表示部１０の光で被写体であるユーザＵの顔を照光するようにしてもよい。例えば、表示部１０がＬＣＤ（Liquid Crystal Display）である場合にはバックライトの光量を上げ、表示部１０が有機ＥＬ（electroluminescence）である場合には白面積を増やす。これにより、ライト２１のみの照光では、周辺環境が暗い場合にライトの光量が強くなりすぎるため、ユーザＵの鼻の周囲に影ができる場合があったが、それを軽減することができる。
【００３２】
その後、ユーザＵは、表示部１０に映し出された自分自身の画像を見て、撮影を行う際にシャッターキーを操作する。これにより、カメラ１２から取り込んだ撮影範囲の画像を保存することができる。
【００３３】
なお、上記では、携帯電話機の一例として、折り畳み式筐体１，２のものを挙げて説明したが、携帯電話機はいかなる筐体のものであってもよい。例えば、図６（Ａ），（Ｂ）に示すように、略長方形状であり相互に重ね合わせられた一対の筐体１０１，１０２が、長辺方向にスライドする一対のスライド式筐体１０１，１０２を備えた携帯電話機にも、本発明は適用可能である。
【００３４】
具体的に、図６（Ａ），（Ｂ）の例では、スライドしたときに上方に位置する一方の筐体１０１には、表示部１１０と、その上側にカメラ１１２及び受話部１１１が装備されている。また、スライドしたときに下方に位置する他方の筐体１０２には、操作部１２０と、その下端付近にライト１２１が装備されている。但し、上記ライト１２１は、必ずしも他方の筐体１０２の下端付近に装備されていることに限定されない。つまり、ライト１２１は、表示部１１０と離間する位置に配置されていればよい。
【００３５】
上記スライド式筐体１０１，１０２の携帯電話機であっても、上述同様に、ライト１２１からの光は、ユーザＵが見ている表示部１１０とは離間した位置からユーザＵに向かって照光されることとなる。従って、表示部１１０を見ているユーザＵの目に、ライト１２１の光が直接目に入ることを抑制できると共に、適切にユーザＵの顔を照光することができる。
【００３６】
また、携帯電話機は、例えば、図７（Ａ），（Ｂ）に示すように、略長方形状の１つの筐体からなるストレート型の携帯電話機であってもよい。具体的に、図７（Ａ），（Ｂ）の例では、筐体２０１の一端側である上側には、表示部２１０と、その上側にカメラ２１２及び受話部２１１が装備されている。また、筐体２０１の他端側である下側には、操作部２２０と、さらにその下側であり筐体２０１の下端付近にライト２２１が装備されている。但し、上記ライト２２１は、必ずしも筐体２０１の下端付近に装備されていることに限定されない。つまり、ライト２２１は、表示部２１０と離間する位置に配置されていればよい。
【００３７】
上記ストレート型の携帯電話機であっても、上述同様に、ライト２２１からの光は、ユーザＵが見ている表示部２１０とは離間した位置からユーザＵに向かって照光されることとなる。従って、表示部２１０を見ているユーザＵの目に、ライト２２１の光が直接目に入ることを抑制できると共に、適切にユーザＵの顔を照光することができる。
【００３８】
なお、上記スライド式筐体を有する携帯電話機やストレート型の携帯電話機では、上述した折り畳み式筐体の携帯電話機と比較して、ライト１２１，２２１の照射方向が斜め上方を向いていない。このため、筐体面に対して法線方向ではなく、若干上側（カメラ１１２，２１２側）に照光方向を向くよう、ライト１２１，２２１の向きや、レンズ、シート部材の形状を工夫してもよい。さらには、ライト２１の向きが可動可能なよう当該ライト２１を可動機構を介して筐体２に取り付けてもよい。これにより、ライト２１の照光方向の光軸を可変することができ、自分撮りの際にユーザＵがまぶしくないようにすることができる。
【００３９】
なお、上記では、本発明である電子機器の一例として携帯電話機を挙げて説明したが、本発明の電子機器は上述したカメラ１２やライト２１といった自分を撮影する機能を装備していていればよく、デジタルカメラやポータブルテレビゲーム機など、いかなる電子機器であってもよい。
【００４０】
また、上述した表示部１０は、必ずしもカメラ１２から取り込んだ撮影範囲の画像をプレビュー表示する機能を有していることに限定されない。例えば、表示部１０は鏡であってもよく、カメラ１２による撮影範囲が反射して映し出されるものであってもよい。
【００４１】
なお、上述したライト２１，１２１，２２１の点灯制御方法は、図８に示すように、周期的に光量を変化させてもよい。また、図８の例では、光量を直線的に変化させる場合を例示したが、正弦関数的な曲線的に変化させてもよい。これにより、ライト２１，１２１，２２１による影を軽減した状態を狙って写真を撮影したり、補助照明としての表示部との光量とのバランスを見ながら写真を撮影したりすることができる。
【００４２】
＜実施形態２＞
次に、本発明の第２の実施形態を、図９乃至図１０を参照して説明する。図９は、本実施形態における携帯電話機の構成を示す図であり、図１０は、ライトによる照光状態を示す図である。
【００４３】
本実施形態における携帯電話機は、実施形態１で説明した図２に示す携帯電話機とほぼ同様の構成をとっている。これに加え、本実施形態の携帯電話機は、ライト２１を複数配置している点で異なる。具体的に、ライト２１は、図９（Ａ），（Ｂ）に示すように、操作部２０が配置された下側に位置する他方の筐体２の回動端付近（下端付近）に、当該筐体２の幅方向の両側付近にそれぞれ装備されている。
【００４４】
なお、上述したライト２１の配置は、図６や図７で説明した他の携帯電話機や他の電子機器にも適用可能である。つまり、電子機器の筐体の一端及び他端を結ぶ直線に対して垂直方向である筐体の幅方向に相互に離間して、当該筐体の他端付近に２つのライトを設けてもよい。
【００４５】
これにより、図１０（Ａ）に示すライト２１が一つの場合と比較して、図１０（Ｂ）に示すように、被写体となるユーザＵの鼻Ｎの両側にできる影の領域を狭めることが可能である。なお、図１０（Ａ），（Ｂ）は、極端に鼻Ｎの下側から照明を当てた模式図であるが、図９（Ｂ）の矢印Ｙ２に示すように、斜め下側からライトの光があたるため、実際にできる影の領域はさらに少なく、鼻の頭から上方向にできる影を無くすこともできる。
【００４６】
なお、上述したライト２１は、２つだけに限定されず、さらに多くのライトを筐体の端部付近か他の箇所に設けてもよい。
【００４７】
＜付記＞
上記実施形態の一部又は全部は、以下の付記のようにも記載されうる。以下、本発明における電子機器の構成の概略を、図１１を参照して説明する。但し、本発明は、以下の構成に限定されない。
【００４８】
（付記１）
撮影範囲の画像を取り込む画像撮影部３１２と、前記画像撮影部３１２による撮影範囲が映し出される表示部３１０と、前記画像撮影部３１２による撮影方向を照光する照光部３２１と、を筐体３０１に備え、
前記表示部３１０が配置されている前記筐体３０１の端部側とは反対側に、前記表示部３１０から離間して前記照光部３２１を配置した、
電子機器。
【００４９】
（付記２）
付記１に記載の電子機器であって、
前記筐体の一端側に前記表示部が配置されていると共に、当該表示部よりも前記筐体の他端側に複数の操作キーを有する操作部が配置されており、前記筐体の他端付近に前記表示部から離間して前記操作部を挟んで前記照光部を配置した、
電子機器。
【００５０】
（付記３）
付記１又は２に記載の電子機器であって、
前記照光部の照光方向を表す光軸と、前記画像撮影部の撮影方向を表す光軸とが、前記筐体から所定の距離だけ離れた箇所で交差するよう、前記照光部が配置されている、
電子機器。
【００５１】
（付記４）
付記１乃至３のいずれかに記載の電子機器であって、
前記筐体は、前記表示部を備えた一方の筐体と、前記照光部を備えた他方の筐体と、が相互に回動可能に連結された折り畳み式筐体であり、
前記照光部を、前記他方の筐体の回動端付近に配置した、
電子機器。
【００５２】
（付記５）
付記４に記載の電子機器であって、
前記折り畳み式筐体が開いたときに、前記一方の筐体と前記他方の筐体とが所定の角度を有して屈曲した状態となる、
電子機器。
【００５３】
（付記６）
付記１乃至５のいずれかに記載の電子機器であって、
前記照光部が、前記筐体の一端及び他端を結ぶ直線に対して垂直方向である幅方向に離間して複数配置されている、
電子機器。
【００５４】
（付記７）
付記１乃至６のいずれかに記載の電子機器であって、
前記操作キーを前記筐体の内部側から照光する操作キー照光部を複数備えると共に、当該操作キー照光部の照光状態を制御する操作キー照光状態制御部を備え、
前記照光部の照光状態を、前記操作キー照光状態制御部にて制御する、
電子機器。
【００５５】
（付記８）
付記７に記載の電子機器であって、
前記照光部から照光される光よりも強い強度の光を照光する第二照光部と、当該第二照光部の照光動作を制御する第二照光状態制御部を備え、
前記操作キー照光状態制御部は、前記第二照光部からの光よりも弱い強度の光を前記照光部及び前記操作キー照光部から照光するよう制御する、
電子機器。
【００５６】
（付記９）
付記８に記載の電子機器であって、
前記筐体内に設けられた基板のうち前記操作部が配置されている側の面に、前記操作キーと前記操作キー照光部と前記操作キー照光状態制御部とを搭載し、
前記基板のうち前記操作部が配置されている側とは反対側の面に、前記第二照光部と前記第二照光状態制御部とを搭載した、
電子機器。
【符号の説明】
【００５７】
１  一方の筐体
１０  表示部
１１  受話部
１２  カメラ
２  他方の筐体
２０  操作部
２１  ライト
２２  メインカメラ
２３  メインライト
３  ヒンジ
４  基板
４１  操作キーライトドライバＩＣ
４２  操作キーライト
４３  メインライトドライバＩＣ
１０１  一方の筐体
１１０  表示部
１１１  受話部
１１２  カメラ
１０２  他方の筐体
１２０  操作部
１２１  ライト
２０１  筐体
２１０  表示部
２１１  受話部
２１２  カメラ
２０２  他方の筐体
２２０  操作部
２２１  ライト
３０１  筐体
３１０  表示部
３１２  画像撮影部
３２１  照光部
Ｕ  ユーザ
Ｎ  鼻
【図１】
2012083529.tif 000003
【図２】
2012083529.tif 000004
【図３】
2012083529.tif 000005
【図４】
2012083529.tif 000006
【図５】
2012083529.tif 000007
【図６】
2012083529.tif 000008
【図７】
2012083529.tif 000009
【図８】
2012083529.tif 000010
【図９】
2012083529.tif 000011
【図１０】
2012083529.tif 000012
【図１１】
2012083529.tif 000013